(57)【要約】【課題】チェーンに衝撃荷重、高負荷が作用した場合、さらにブシュとピンとの間に潤滑油などを付与して使用した場合でも、内リンクプレートとブシュとの間にずれが生じないように、内リンクプレートに形成されたブシュ孔にブシュを強固に嵌合固定したローラチェーンを提供することを目的とする。【解決手段】ローラチェーン１の内リンクプレート４に形成されたブシュ孔５の端縁部には、垂直環状部５ｂと傾斜環状部５ｃとからなる環状凹部５ａが形成されている。ブシュ孔５に圧入されたブシュ３は、該ブシュ３の両端縁に徐々に肉薄となるように形成された環状薄肉部３ａをブシュ孔５の環状凹部５ａ側にかしめて締鋲されていることにより、ブシュ３は内リンクプレート４のブシュ孔５に強固に嵌合固定される。【選択図】図６
2008281058.tif 000002
【特許請求の範囲】
【請求項１】
ローラが回転自在に外嵌されたブシュの両端が一対の内リンクプレートに形成されたブシュ孔に嵌合固定され、前記ブシュ内に回転自在に挿入されたピンが一対の外リンクプレートに形成されたピン孔に嵌着されてなるローラチェーンにおいて、
前記ブシュ孔の端縁部には、垂直環状部と傾斜環状部とからなる環状凹部が形成され、
前記ブシュ孔に圧入された前記ブシュは、該ブシュの両端縁に徐々に肉薄となるように形成された環状薄肉部を前記ブシュ孔の環状凹部側にかしめて締鋲されていることを特徴とするローラチェーン。
【発明の詳細な説明】
【技術分野】
【０００１】
本発明は、動力伝達（伝動）、搬送（コンベヤ）等に用いるローラチェーンに関し、詳しくは、内リンクプレートのブシュ孔にブシュがずれないように強固に嵌合固定されたローラチェーンに関する。
【背景技術】
【０００２】
ローラチェーンは、高速伝動チェーン、高負荷伝動チェーン、コンベヤチェーン等として広く使用されている。このように使用されているローラチェーンは、走行中に高速・低速の急激な速度変更による衝撃荷重を受けたり、高負荷が作用した場合、チェーンに捩れが生じることがある。捩れが生じると、スプロケットとの噛合い時にチェーン走行方向と直交する方向に負荷が掛かるため、内リンクプレートとブシュとの固着部にずれが生じ、対向する内リンクプレート同士が外側に広がるように移動し、内リンクプレートと外リンクプレートとが面接触するようになる。この面接触により、接触抵抗が生じるため、チェーンの屈曲が円滑に行われず、チェーンとスプロケットとが噛合い不良を起こし該チェーンがスプロケットに乗り上げる等の不都合な現象を起こすと共に、チェーンが破損することがある。かかる不都合を回避するために、従来、内リンクプレートとブシュとの結合力を強くするようにしたローラチェーンが提案されている（特許文献１参照。）。
【特許文献１】特開昭５６−１０９９４１号公報
【発明の開示】
【発明が解決しようとする課題】
【０００３】
前記従来のローラチェーン（特許文献１）は、図７に示すように、ローラ１１が外嵌されたブシュ１２の両端部外周面に凸条１３を設け、この凸条１３が内リンクプレート１４のブシュ孔１５内周面を咬持するようにしまり嵌めしたものである。しかし、このようにしても、チェーンに衝撃荷重、高負荷が作用すると凸条１３がブシュ孔１５の内周面に咬持されているだけであるため、満足な結合力が得られず、内リンクプレート１４とブシュ１２との間にずれが生じる、という問題がある。さらに、ブシュ１２とピン（図示略）との摩擦を抑制するように潤滑油などを付与すると、ブシュ孔１５とブシュ１２との間に潤滑油などがしみ込み結合力が低下し、内リンクプレート１４とブシュ１２との間にずれが生じる、という問題がある。
【０００４】
そこで、本発明は、前記したような従来の問題を解決し、チェーンに衝撃荷重、高負荷が作用した場合、さらにピンの摩耗によるチェーン伸びを抑制するためにブシュとピンとの間に潤滑油などを付与して使用した場合でも、内リンクプレートとブシュとの間にずれが生じないように、内リンクプレートに形成されたブシュ孔にブシュを強固に嵌合固定したローラチェーンを提供することを目的とする。
【課題を解決するための手段】
【０００５】
前記目的を達成するために、請求項１に係る本発明は、ローラが回転自在に外嵌されたブシュの両端が一対の内リンクプレートに形成されたブシュ孔に嵌合固定され、前記ブシュ内に回転自在に挿入されたピンが一対の外リンクプレートに形成されたピン孔に嵌着されてなるローラチェーンにおいて、前記ブシュ孔の端縁部には、垂直環状部と傾斜環状部とからなる環状凹部が形成され、前記ブシュ孔に圧入された前記ブシュは、該ブシュの両端縁に徐々に肉薄となるように形成された環状薄肉部を前記ブシュ孔の環状凹部側にかしめて、締鋲されているローラチェーン、としたものである。
【発明の効果】
【０００６】
請求項１に係る本発明のローラチェーンは、リンクプレートに形成されているブシュ孔の端縁部には、垂直環状部と傾斜環状部とからなる環状凹部が形成され、ブシュ孔に圧入されたブシュは、該ブシュの両端縁に徐々に肉薄となるように形成された環状薄肉部を前記ブシュ孔の環状凹部側にかしめて締鋲されているので、ブシュ両端が一対のリンクプレートに固定され、ブシュ孔にブシュを強固に嵌合固定することができ、チェーンに衝撃荷重、高負荷が作用した場合でも、内リンクプレートとブシュとの間にずれが生じないようにすることができる。さらに、ブシュとピンとの間に潤滑油が付与されて使用された場合でも、ブシュの両端部の環状薄肉部がブシュ孔の環状凹部側にかしめられているので、このかしめで形成された環状のかしめ部（平締鋲部）によりブシュ孔とブシュとの間への潤滑油侵入を抑制することができ、その結果、内リンクプレートとブシュとの間にずれが生じないようにすることができる。
【発明を実施するための最良の形態】
【０００７】
本発明の実施例を図１〜図６を参照して説明する。ローラチェーン１は、図１、図２に示すように、ローラ２が回転自在に外嵌されたブシュ３の両端が一対の内リンクプレート４，４にそれぞれ形成された一対のブシュ孔５，５に嵌合固定され、ブシュ３内に回転自在に挿入されたピン６両端が一対の外リンクプレート７，７にそれぞれ形成された一対のピン孔８，８に嵌着されてなるものである。なお、図１、図２における符号９はクリップである。
【０００８】
図３、図４に示すように、内リンクプレート４に形成されたブシュ孔５の端縁部には、プレート面４ａ側に開口する垂直環状部５ｂと、該垂直環状部５ｂに連設された傾斜環状部５ｃとからなる環状凹部５ａが形成され、この傾斜環状部５ｃはプレート面４ａ側に向けて徐々に内径が大きくなる末広状になっている。この場合、垂直環状部５ｂを設けないで傾斜環状部５ｃのみで環状凹部５ａを形成してもよい。この環状凹部５ａは、内リンクプレート４の少なくとも外リンクプレート７に対峙するプレート面４ａ側に形成されている。なお、環状凹部５ａがブシュ孔５の両端縁部、すなわち表裏両プレート面４ａ，４ａ側に形成されている場合は、チェーン製造時に内リンクプレート４の表裏を区別する必要がないため、組み立て工程を簡略化することができる。
【０００９】
内リンクプレート４のブシュ孔５に固定されるブシュ３は、図５に示すように、両端縁が徐々に先端側が肉薄となるように形成された環状薄肉部３ａを有する。このブシュ３を内リンクプレート４のブシュ孔５に圧入（しまり嵌め）した後、ブシュ３の内径が縮小しないように、環状薄肉部３ａをかしめ工具、例えばかしめパンチ、締鋲ぱんち、かしめ金型などによりブシュ孔５の環状凹部５ａ側にかしめて塑性変形させ、図６に示すように、このかしめにより形成された環状かしめ部（平締鋲部）３ｂでブシュ３とブシュ孔５とでずれが生じないように固定する。
【００１０】
この場合、環状かしめ部３ｂは、内リンクプレート４のプレート面４ａと面一になっていても、プレート面４ａから突出していてもよい。環状かしめ部３ｂが突出している場合は、環状かしめ部（平締鋲部）３ｂが隣接する外リンクプレート７に接触し、内リンクプレート４と外リンクプレート７との当接面の面積が小さく摩擦抵抗が小さくなるため、屈曲抵抗を減少させることができ、チェーンを円滑に屈曲させることが可能となる。
【００１１】
上記構成からなるローラチェーン１によれば、両端縁が徐々に肉薄となるように形成された環状薄肉部３ａを有するブシュ３を内リンクプレート４のブシュ孔５に圧入した後、環状薄肉部３ａをブシュ孔５の環状凹部５ａ側にかしめて、このかしめにより形成された環状かしめ部３ｂで固定することによりブシュ３がブシュ孔５に固定されているので、内リンクプレート４のブシュ孔５にブシュ３を強固に固定することができる。
【００１２】
その結果、チェーンに衝撃荷重、高負荷が作用した場合でも、ブシュ３と内リンクプレート４との間にずれが生じないようにすることができる。さらに、ブシュ３内周面とピン６との摩耗を抑制するためブシュ３とピン６との間に潤滑油を付与して使用した場合でも、ブシュ３の両端部の環状薄肉部３ａがブシュ孔５の環状凹部５ａ側に環状にかしめられているので、このかしめで形成された環状かしめ部（平締鋲部）３ｂによりブシュ３とブシュ孔５との間への潤滑油侵入を抑制することができ、ブシュ３と内リンクプレート４との間にずれが生じないようにすることができる。また、ブシュ３と内リンクプレート４との間にずれが生じないようにしたので、チェーンとスプロケットとの噛合い不良に起因するチェーン破損を防止することができる。
【図面の簡単な説明】
【００１３】
【図１】本発明実施例のローラチェーンの要部を断面で示した一部平面図である。
【図２】ローラチェーンの一部正面図である。
【図３】内リンクプレートの正面図である。
【図４】内リンクプレートの断面図である。
【図５】ブシュの断面図である。
【図６】本発明実施例のローラチェーンの要部説明図である。
【図７】従来のブシュ孔とブシュとの嵌合状態を示す説明図である。
【符号の説明】
【００１４】
１    ローラチェーン
２    ローラ
３    ブシュ
３ａ  環状薄肉部
３ｂ  環状かしめ部
４    内リンクプレート
４ａ  プレート面
５    ブシュ孔
５ａ  環状凹部
５ｂ  垂直環状部
５ｃ  傾斜環状部
６    ピン
７    外リンクプレート
８    ピン孔
９    クリップ
【図１】
2008281058.tif 000003
【図２】
2008281058.tif 000004
【図３】
2008281058.tif 000005
【図４】
2008281058.tif 000006
【図５】
2008281058.tif 000007
【図６】
2008281058.tif 000008
【図７】
2008281058.tif 000009